(57)【要約】      （修正有）【課題】光学エンジンから発光される強いレーザー光線が誤って作業者の目に入ることを簡単な構成で確実に防止するプロジェクションテレビのスクリーンを提供する。【解決手段】スクリーンユニット３を本体２に締結するネジ８１を前方から挿入するようにし、フレームの前面にネジ８１を覆い隠す前面カバー６を設け、この前面カバー６を、本体２に後方から挿入されたネジ８３により本体２に締結し、本体２の背面にネジ８３を覆い隠す背面カバー５を設け、前面カバー６の開放を検出する前面安全スイッチ及び背面カバー５の開放を検出する背面安全スイッチを設け、前面安全スイッチ及び背面安全スイッチの少なくとも一方の検出信号が出力されたときに光学エンジン４のレーザー光線の発光を停止する。【選択図】図１
2011158732.tif 000002
【特許請求の範囲】
【請求項１】
概略箱状の本体と、
前記本体の内部に配設され半導体レーザーを光源とし映像を投影する光学エンジンと、  前記光学エンジンから投影された映像を背面から入射して前面に表示するスクリーンユニットとを備え、
前記スクリーンユニットは、自らのフレームに前方から挿入された第１の固定ネジにより前記本体に締結され、
前記フレームの前面に前記第１の固定ネジを覆い隠す前面カバーが設けられ、
前記前面カバーは、前記本体に後方から挿入された第２の固定ネジにより前記本体に締結され、
前記本体の背面に前記第２の固定ネジを覆い隠す背面カバーが設けられており、
前記前面カバーの開放を検出する前面安全スイッチと、
前記背面カバーの開放を検出する背面安全スイッチと、
前記前面安全スイッチ及び前記背面安全スイッチの少なくとも一方の検出信号が出力されたときに前記光学エンジンのレーザー光線の発光を停止する検出回路と
を備えたことを特徴とするプロジェクションテレビ。
【請求項２】
前記本体に係合部が設けられ、
前記スクリーンユニットに被係合部が設けられ、
前記係合部は、前記被係合部に係合して前記スクリーンユニットを前記本体から仮支持する
ことを特徴とする請求項１に記載のプロジェクションテレビ。
【請求項３】
前記被係合部は前記スクリーンユニットの側部フレームに形成されたスリットであり、  前記係合部は前記本体の前面開口縁部から前方に突出して前記スリットを貫通する側部フックである
ことを特徴とする請求項２に記載のプロジェクションテレビ。
【請求項４】
前記第１の固定ネジは、前記スクリーンユニットの下部フレームに前方から挿入されたものである
ことを特徴とする請求項１から３のいずれか１項に記載のプロジェクションテレビ。
【請求項５】
概略箱状の本体と、
前記本体の内部に配設され半導体レーザーを光源とし映像を投影する光学エンジンと、  前記光学エンジンから投影された映像を背面から入射して前面に表示するスクリーンユニットとを備えたプロジェクションテレビのスクリーンユニットの固定方法であり、
前記スクリーンユニットを前記本体に締結する固定ネジを、前記スクリーンユニットのフレームに前方から挿入する第１の固定ネジとし、
前記フレームの前面に前記第１の固定ネジを覆い隠す前面カバーを設け、
前記前面カバーを、前記本体に後方から挿入された第２の固定ネジにより前記本体に締結し、
前記本体の背面に前記第２の固定ネジを覆い隠す背面カバーを設け、
前記前面カバーの開放を検出する前面安全スイッチ及び前記背面カバーの開放を検出する背面安全スイッチを設け、
前記前面安全スイッチ及び前記背面安全スイッチの少なくとも一方の検出信号が出力されたときに前記光学エンジンのレーザー光線の発光を停止するようにした
ことを特徴とするプロジェクションテレビのスクリーンユニットの固定方法。
【請求項６】
前記スクリーンユニットを前記本体に締結する全てのネジのうち、一部を前記スクリーンユニットのフレームに前方から挿入する第１の固定ネジとし、残る他のネジは、前記本体の後方から挿入するようにした
ことを特徴とする請求項５に記載のプロジェクションテレビのスクリーンユニットの固定方法。
【請求項７】
前記第１の固定ネジは、前記スクリーンユニットの下部フレームに前方から挿入されたものである
ことを特徴とする請求項６に記載のプロジェクションテレビのスクリーンユニットの固定方法。
【発明の詳細な説明】
【技術分野】
【０００１】
本発明は、高出力の光源、特に半導体レーザーを光源とする背面透過型プロジェクションテレビ及びそのスクリーンユニットの固定方法に関するものである。
【背景技術】
【０００２】
背面透過型プロジェクションテレビは内部に、高圧水銀ランプやＬＥＤランプなどの光源で映像を投写する光学エンジンを備え、拡大映像を本体前面に備えたスクリーンに投写する構造となっている。光学エンジンから投写された映像がスクリーンに結像する間では光線が外に漏れないように遮蔽された構造になっている（特許文献１参照）。
【０００３】
光源に水銀ランプやＬＥＤを利用したプロジェクションテレビでは、前面のスクリーンと枠体が一体となったスクリーンユニットを本体にネジ等で固定している。このスクリーンユニットは、スクリーンの交換時や本体内部の清掃を行う際には本体から取り外される（特許文献２参照）。
【０００４】
また、光源に半導体レーザーを装備したプロジェクションテレビのなかには、背面カバーに突起を設け、この突起の接触・非接触により、背面カバーの開放を検出して、光源の半導体レーザーの照射を遮断する構成とした製品が提案されている（特許文献３参照）。
【先行技術文献】
【特許文献】
【０００５】
【特許文献１】特開２００１−１５４２７４号公報
【特許文献２】特開２００２−２４４２０９号公報
【特許文献３】特開２００４−１４８７２４号公報
【発明の概要】
【発明が解決しようとする課題】
【０００６】
しかしながら、上記従来の技術によれば、光源に赤、青、緑の半導体レーザーを用いた背面透過型プロジェクションテレビでは、傷付いたスクリーンの交換や、内部の清掃のためにスクリーンユニットを取り外したままで、誤って光源を発光させた場合、光学エンジンからの強いレーザー光線が直接作業者の目に入る可能性があり、改善が求められていた。
【０００７】
また、スクリーンユニットを外す時に、光学エンジンのレーザー光線の発光を止めるための安全スイッチをスクリーンユニットと本体との間に設ける場合には、スクリーンユニットと本体の隙間が開くのを検出する為に多くの安全スイッチを備える必要があった。
【０００８】
本発明は、上記に鑑みてなされたものであって、光学エンジンから発光される強いレーザー光線が誤って作業者の目に入ることを簡単な構成で確実に防止することができ、さらに意匠性の向上を図ることができるプロジェクションテレビ及びプロジェクションテレビのスクリーンユニットの固定方法を提供することを目的とする。
【課題を解決するための手段】
【０００９】
上述した課題を解決し、目的を達成するために、本発明にかかるプロジェクションテレビは、概略箱状の本体と、本体の内部に配設され半導体レーザーを光源とし映像を投影する光学エンジンと、光学エンジンから投影された映像を背面から入射して前面に表示するスクリーンユニットとを備え、スクリーンユニットは、自らのフレームに前方から挿入された第１の固定ネジにより本体に締結され、フレームの前面に第１の固定ネジを覆い隠す前面カバーが設けられ、前面カバーは、本体に後方から挿入された第２の固定ネジにより本体に締結され、本体の背面に第２の固定ネジを覆い隠す後部カバーが設けられており、前面カバーの開放を検出する前面安全スイッチと、後部カバーの開放を検出する背面安全スイッチと、前面安全スイッチ及び背面安全スイッチの少なくとも一方の検出信号が出力されたときに光学エンジンのレーザー光線の発光を停止する検出回路とを備えたことを特徴とする。
【００１０】
また、この発明にかかるプロジェクションテレビのスクリーンユニットの固定方法は、概略箱状の本体と、本体の内部に配設され半導体レーザーを光源とし映像を投影する光学エンジンと、光学エンジンから投影された映像を背面から入射して前面に表示するスクリーンユニットとを備えたプロジェクションテレビのスクリーンユニットの固定方法であり、スクリーンユニットを本体に締結する固定ネジの少なくとも一部を、スクリーンユニットのフレームに前方から挿入する第１の固定ネジとし、フレームの前面に第１の固定ネジを覆い隠す前面カバーを設け、前面カバーを、本体に後方から挿入された第２の固定ネジにより本体に締結し、本体の背面に第２の固定ネジを覆い隠す後部カバーを設け、前面カバーの開放を検出する前面安全スイッチ及び後部カバーの開放を検出する背面安全スイッチを設け、前面安全スイッチ及び背面安全スイッチの少なくとも一方の検出信号が出力されたときに光学エンジンのレーザー光線の発光を停止するようにしたことを特徴とする。
【発明の効果】
【００１１】
この発明によれば、電源の落とし忘れのままのカバーの開放、あるいはスクリーンユニットの無い状態での電源誤投入などの誤った取り扱い対して、二重の安全措置が設けられていることとなり、半導体レーザーによる映像が光学エンジンから直接作業者の目に入るといった事故を確実に防止することができる。また、スクリーンユニットを締結する第１の固定ネジが前面カバーによって隠され、さらに前面カバーを締結する第２の固定ネジが背面カバーによって隠されるので意匠性が向上する。
【図面の簡単な説明】
【００１２】
【図１】図１は、本実施の形態のリアプロジェクションテレビの前方側からの外観を示す分解斜視図である。
【図２】図２は、本実施の形態のリアプロジェクションテレビの後方側からの外観を示す分解斜視図である。
【図３】図３は、リアプロジェクションテレビの側面視の縦断面図である。
【発明を実施するための形態】
【００１３】
実施の形態．
以下、図面を参照しながら本発明の実施の形態について詳細に説明する。図１は、本実施の形態のリアプロジェクションテレビの前方側からの外観を示す分解斜視図であり、図２は後方側からの外観を示す分解斜視図である。本実施の形態のリアプロジェクションテレビ１００は、概略箱状の本体２と、本体２の内部に配設されて半導体レーザーを光源として映像を投影する光学エンジン４と、本体２の前面開口を閉塞するように配設され、背面に投影された映像を前面の表示画面に映し出す透過型のスクリーンユニット３と、スクリーンユニット３の下部を覆うようにして設けられた前面カバー６と、装置背面を覆うようにして設けられた背面カバー５とを有している。
【００１４】
スクリーンユニット３は、薄板ガラスを挟み込むように薄板ガラスに重ね合わされたレンチキュラーレンズシートとフレネルレンズシートの矩形積層体でなるスクリーン３０と、このクリーン３０の外周縁部を全周にわたって囲むフレーム枠体３１とを含んで構成されている。フレーム枠体３１は、断面コ字状を成しスクリーン３０の四辺縁部をそれぞれ覆う上部フレーム３１Ａ、下部フレーム３１Ｂ、側部フレーム３１Ｃ及び側部フレーム３１Ｄから構成されている。
【００１５】
スクリーンユニット３は、下部フレーム３１Ｂを装置前面側よりネジ（第１の固定ネジ）８１で本体２に締結され、さらに２本の側部フレーム３１Ｃ，３１Ｄを本体２の背面側よりネジ８２にて締結されている。
【００１６】
前面カバー６は、スクリーンユニット３を締結するネジ８１を隠すように前方より本体２に取り付けられており、本体２の背面側からネジ（第２の固定ネジ）８３にて締結され、さらにこのネジ８３が本体背面側より取り付けられる背面カバー５によって覆われる構造となっている。背面カバー５は本体２に背面側よりネジ８５にて締結される。
【００１７】
図３は、リアプロジェクションテレビ１００の側面視の縦断面図であり、本体２側面に設けた側部フック２２の詳細を示すＣ部分の拡大図と本体前面側Ａ部分の前面カバー６近傍の前面安全スイッチ７６の詳細拡大図、本体背面側Ｂ部分の背面カバー５近傍の背面安全スイッチ７１の詳細拡大図を含む。上記ネジ８１，８２によるスクリーンユニット３の固定構造に加えて、２本の側部フレーム３１Ｃ，３１Ｄの上部にそれぞれ形成されたスリット３１Ｃａ，３１Ｄａ（被係合部）と、本体２の前面開口縁部左右からそれぞれ前方に突出しスリット３１Ｃａ，３１Ｄａと係合する側部フック２２，２２（係合部）が設けられている（図３のＣ拡大部分参照）。側部フック２２，２２は、スリット３１Ｃａ，３１Ｄａに、本体２よりスクリーンユニット３を仮支持し、上記ネジ８１，８２が外された場合においても、本体２からスクリーンユニット３が脱落しないようにしている。
【００１８】
本体２の前面側で、スクリーンユニット３の下部フレーム３１Ｂの直下には前面安全スイッチ７６が固定され、前面カバー６に設けられた突起６１によって前面安全スイッチ７６のレバーが押される配置となっており、前面カバー６を取り外した時に前面安全スイッチ７６のレバーが戻り検出回路が作動する構成となっている。
【００１９】
また、本体２の背面側の下部には背面安全スイッチ７１が固定され、背面カバー５に備えた突起５１によって背面安全スイッチ７１のレバーが押される配置となっており、背面カバー５を外した時に背面安全スイッチ７１のレバーが戻り検出回路が作動する構成となっている。そして、前面安全スイッチ７６及び背面安全スイッチ７１のいずれか一方の検出回路でも作動すると光学エンジン４のレーザー光線の発光が停止するようになっている。
【００２０】
上記構造のリアプロジェクションテレビ１００によれば、スクリーンユニット３が傷ついたりゴミが付着したりした場合など、スクリーンユニット３を取り外す作業をする場合、電源を投入したままの状態で、本体２とスクリーンユニット３を背面から締結しているネジ８２を全て外した時に、誤ってスクリーンユニット３の上部を本体２に対して開けようとしても、本体２側面に備えた側部フック２２、２２とスリット３１Ｃａ，３１Ｄａとが係合しており外れることがないので、本体２とスクリーンユニット３との間から半導体レーザー光線などの強い光が漏れだすことが無い。
【００２１】
また、スクリーンユニット３の下部フレーム３１ＢＢを締結するネジ８１を外すためには、まず、ネジ８５を外して、背面カバー５を取り外し、次いでネジ８３を外して、前面カバー６を取り外すと、下部フレーム３１Ｂを締結するネジ８１を外せる状態となる。これに加えて、背面安全スイッチ７１と前面安全スイッチ７６の２つ検出回路によって、光学エンジン４が停止されるので、電源の切り忘れ、或いはスクリーンユニット３の無い状態での電源の誤投入に対して二重の安全措置が設けられていることとなり、半導体レーザーによる映像が光学エンジン４から直接作業者の目に入ることを確実に防止することができる。また、スクリーンユニット３を締結するネジ８１，８２が、前面カバー６と背面カバー５によって隠されるので意匠性が向上する。
【００２２】
なお、スクリーンユニット３を本体２に締結する全てのネジでなく、本実施の形態のように、少なくとも一部（例えば、下部フレーム３１Ｂを締結するネジ８１）を装置前面側より挿入するものとすれば、スクリーンユニット３を本体２に締結する全てのネジを装置前面側より挿入するようにしたものと、同様の効果を得られるほか、下部フレーム３１Ｂを締結するネジ８１のみを装置前面側より挿入するようにし、これを前面カバー６にて覆い隠すようにしたので、前面カバーを小さくすることができ、また意匠性が向上する。
【００２３】
なお、スクリーンユニット３の脱落を防止する係合部及び被係合部は、本実施の形態によるものに限らず、２本の側部フレーム３１Ｃ，３１Ｄにフックが設けられ、本体２にスリットが設けられてもよい。さらにはその他の形状であってもよく。ネジ８１，８２が外された状態で、本体２からスクリーンユニット３を仮支持できるものであれば、所定の効果を得ることができる。
【産業上の利用可能性】
【００２４】
以上のように、本発明にかかるプロジェクションテレビは、高出力の光源である例えば半導体レーザーを光源として用いた背面透過型プロジェクションテレビに適用されて好適なものである。
【符号の説明】
【００２５】
２  本体
３  スクリーンユニット
４  光学エンジン
５  背面カバー
６  前面カバー
２２  側部フック（係合部）
３０  スクリーン
３１  フレーム
３１Ａ  上部フレーム
３１Ｂ  下部フレーム
３１Ｃ，３１Ｄ  側部フレーム
３１Ｃａ，３１Ｄａ  スリット（被係合部）
５１，６１  突起
７１  背面安全スイッチ
７６  前面安全スイッチ
８１  ネジ（第１の固定ネジ）
８２，８５  ネジ
８３  ネジ（第２の固定ネジ）
１００  リアプロジェクションテレビ（プロジェクションテレビ）
【図１】
2011158732.tif 000003
【図２】
2011158732.tif 000004
【図３】
2011158732.tif 000005